【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
通信装置であって、
前記通信装置が使用可能な複数の無線チャネルを用いて、アクセスポイントを検索する検索手段と、
前記検索手段によって検索された第１のアクセスポイントが構築する第１の無線ネットワークに、当該第１の無線ネットワークが使用する第１の無線チャネルを用いて接続する接続手段と、
前記接続手段による前記第１の無線ネットワークへの接続を維持した状態で、前記第１の無線チャネルを用いて第２の無線ネットワークを構築する構築手段と、を有し、
前記第２の無線ネットワークにより他の通信装置と接続されている状態で前記第１の無線ネットワークから切断された場合、前記検索手段は、前記複数の無線チャネルのうちの前記第１の無線チャネルを用いて、前記第１のアクセスポイントを検索し、当該検索によって前記第１のアクセスポイントが検索されなかった場合に、ユーザによる指示又は前記通信装置に予めなされた設定に基づいて、前記複数の無線チャネルを用いて前記第１のアクセスポイントを再度検索することを特徴とする通信装置。
【請求項２】
前記検索手段は、前記第１のアクセスポイントの検索を一定の回数または一定の時間繰り返すことを特徴とする請求項１に記載の通信装置。
【請求項３】
前記第１の無線ネットワークから切断された後に前記検索手段によって行われた検索によって、前記第１のアクセスポイントが検索された場合、前記通信装置は前記第１の無線チャネルを用いた前記第１の無線ネットワークと前記第２の無線ネットワークへの接続を維持することを特徴とする請求項１または２に記載の通信装置。
【請求項４】
前記第１の無線ネットワークから切断された後に前記検索手段によって行われた検索によって前記第１のアクセスポイントが検索されない状態で、前記他の通信装置から前記第２の無線ネットワークの切断通知が受信された場合に、前記検索手段は、前記通信装置が使用可能な複数の無線チャネルのうち前記第１の無線チャネル以外の無線チャネルを用いて前記第１のアクセスポイントを再度検索することを特徴とする請求項１から３のいずれか１項に記載の通信装置。
【請求項５】
前記検索手段によって前記複数の無線チャネルを用いて前記第１のアクセスポイントを再度検索する場合、前記第２の無線ネットワークの切断通知を前記他の通信装置へ送信し、前記検索手段は、前記通信装置が使用可能な複数の無線チャネルのうち前記第１の無線チャネル以外の無線チャネルを用いて前記第１のアクセスポイントを再度検索することを特徴とする請求項１から３のいずれか１項に記載の通信装置。
【請求項６】
前記第１の無線ネットワークから切断された場合に、前記第１のアクセスポイントへの再度の接続と前記他の通信装置との接続のどちらを優先するかを示す再接続条件の設定を受ける操作手段をさらに有し、
前記第１の無線ネットワークから切断された後に前記検索手段によって行われた検索によって前記第１のアクセスポイントが検索されない状態で、前記操作手段が前記第１のアクセスポイントへの再度の接続を優先することを示す再接続条件の設定を受けた場合、前記検索手段は、前記通信装置が使用可能な複数の無線チャネルのうち前記第１の無線チャネル以外の無線チャネルを用いて前記第１のアクセスポイントを再度検索することを特徴とする請求項１から３のいずれか１項に記載の通信装置。
【請求項７】
前記操作手段が前記他の通信装置との接続を優先することを示す再接続条件の設定を受けた場合、前記他の通信装置から前記第２の無線ネットワークの切断通知が受信された後に、前記検索手段は、前記通信装置が使用可能な複数の無線チャネルのうち前記第１の無線チャネル以外の無線チャネルを用いて前記第１のアクセスポイントを再度検索することを特徴とする請求項６に記載の通信装置。
【請求項８】
通信装置であって、
前記通信装置が使用可能な複数の無線チャネルを用いて、アクセスポイントを検索する検索手段と、
前記検索手段によって検索された第１のアクセスポイントが構築する第１の無線ネットワークに、当該第１の無線ネットワークが使用する第１の無線チャネルを用いて接続する接続手段と、
前記接続手段による前記第１の無線ネットワークへの接続を維持した状態で、前記第１の無線チャネルを用いて第２の無線ネットワークを構築する構築手段と、を有し、
前記第２の無線ネットワークにより他の通信装置と接続されている状態で前記第１の無線ネットワークから切断された場合、前記検索手段は、前記複数の無線チャネルのうちの前記第１の無線チャネルを用いて前記第１のアクセスポイントを検索し、当該検索によって前記第１のアクセスポイントが検索されなかった場合には当該検索を終了し、前記第２の無線ネットワークによる前記他の通信装置との接続を維持することを特徴とする通信装置。
【請求項９】
前記第１の無線チャネルの情報と前記第１のアクセスポイントの識別情報を保存する保存手段をさらに有することを特徴とする請求項１から８のいずれか１項に記載の通信装置。
【請求項１０】
前記第１の無線ネットワーク及び前記第２の無線ネットワークは、ＩＥＥＥ８０２．１１で規定されるインフラストラクチャモードのネットワークであり、前記第２の無線ネットワークは、前記通信装置がアクセスポイントとして構築した無線ネットワークであることを特徴とする請求項１から９のいずれか１項に記載の通信装置。
【請求項１１】
前記第１の無線ネットワークは、ＩＥＥＥ８０２．１１で規定されるインフラストラクチャモードのネットワークであり、前記第２の無線ネットワークは、ＩＥＥＥ８０２．１１で規定されるアドホックモードのネットワークであることを特徴とする請求項１から１０のいずれか１項に記載の通信装置。
【請求項１２】
前記第１の無線ネットワークは、ＩＥＥＥ８０２．１１で規定されるインフラストラクチャモードのネットワークであり、前記第２の無線ネットワークは、Ｗｉ−Ｆｉ  Ｄｉｒｅｃｔのネットワークであることを特徴とする請求項１から１１のいずれか１項に記載の通信装置。
【請求項１３】
通信装置による通信方法であって、
前記通信装置が使用可能な複数の無線チャネルを用いて、アクセスポイントを検索する検索工程と、
前記検索工程において検索された第１のアクセスポイントが構築する第１の無線ネットワークに、当該第１の無線ネットワークが使用する第１の無線チャネルを用いて接続する接続工程と、
前記接続工程による前記第１の無線ネットワークへの接続を維持した状態で、前記第１の無線チャネルを用いて第２の無線ネットワークを構築する構築工程と、を有し、
前記第２の無線ネットワークにより他の通信装置と接続されている状態で前記第１の無線ネットワークから切断された場合、前記検索工程では、前記複数の無線チャネルのうちの前記第１の無線チャネルを用いて、前記第１のアクセスポイントを検索し、当該検索によって前記第１のアクセスポイントが検索されなかった場合に、ユーザによる指示又は前記通信装置に予めなされた設定に基づいて、前記複数の無線チャネルを用いて前記第１のアクセスポイントを再度検索することを特徴とする通信方法。
【請求項１４】
通信装置による通信方法であって、
前記通信装置が使用可能な複数の無線チャネルを用いて、アクセスポイントを検索する検索工程と、
前記検索工程によって検索された第１のアクセスポイントが構築する第１の無線ネットワークに、当該第１の無線ネットワークが使用する第１の無線チャネルを用いて接続する接続工程と、
前記接続工程による前記第１の無線ネットワークへの接続を維持した状態で、前記第１の無線チャネルを用いて第２の無線ネットワークを構築する構築工程と、を有し、
前記第２の無線ネットワークにより他の通信装置と接続されている状態で前記第１の無線ネットワークから切断された場合、前記検索工程では、前記複数の無線チャネルのうちの前記第１の無線チャネルを用いて前記第１のアクセスポイントを検索し、当該検索によって前記第１のアクセスポイントが検索されなかった場合には当該検索を終了し、前記第２の無線ネットワークによる前記他の通信装置との接続を維持することを特徴とする通信方法。
【請求項１５】
請求項１から請求項１２のいずれか１項に記載の通信装置の各手段としてコンピュータを機能させるプログラム。
【手続補正２】
【補正対象書類名】明細書
【補正対象項目名】０００８
【補正方法】変更
【補正の内容】
【０００８】
上記目的を達成するための一手段として、本発明の通信装置は以下の構成を有する。すなわち、通信装置であって、前記通信装置が使用可能な複数の無線チャネルを用いて、アクセスポイントを検索する検索手段と、前記検索手段によって検索された第１のアクセスポイントが構築する第１の無線ネットワークに、当該第１の無線ネットワークが使用する第１の無線チャネルを用いて接続する接続手段と、前記接続手段による前記第１の無線ネットワークへの接続を維持した状態で、前記第１の無線チャネルを用いて第２の無線ネットワークを構築する構築手段と、を有し、前記第２の無線ネットワークにより他の通信装置と接続されている状態で前記第１の無線ネットワークから切断された場合、前記検索手段は、前記複数の無線チャネルのうちの前記第１の無線チャネルを用いて、前記第１のアクセスポイントを検索し、当該検索によって前記第１のアクセスポイントが検索されなかった場合に、ユーザによる指示又は前記通信装置に予めなされた設定に基づいて、前記複数の無線チャネルを用いて前記第１のアクセスポイントを再度検索する。